(57)【要約】      （修正有）【課題】重油を燃料とするエンジンの排気ガスを浄化する。【解決手段】０．１％〜４．０重量％の硫黄含有量及び５ｍｇ／ｋｇ〜１０００ｍｇ／ｋｇの重金属元素含有量を有する重油で運転されるエンジン２からの排気ガス中に存在する、煤、灰及び重金属、及び任意に、排ガス中に存在する追加的なＮＯｘ及びＳＯｘを除去するための方法及びシステム。【選択図】図１
2018048642.tif 000002
【特許請求の範囲】
【請求項１】
０．１％〜４．０重量％の硫黄含有量、及び５ｍｇ／ｋｇ〜１０００ｍｇ／ｋｇの重金属元素含有量を有する重油で運転されるエンジンからの排気ガス中に存在する煤、炭化水素、灰及び重金属を除去する方法であって、
少なくとも３２５℃の排気ガスの排気温度が得られるような負荷で、エンジンを運転する工程；
３２５℃〜５５０℃の排気ガス温度にある該排気ガスを、それぞれが少なくとも一つの微粒子捕集フィルターを含む少なくとも一つのフィルターユニットに通過させ、そして、排気ガス中に含有される煤、灰及び重金属を捕集する工程；
該フィルター上に配置された触媒と接触させることによって、前記少なくとも一つの微粒子捕集フィルターから、捕集された煤、及び付着した炭化水素を連続的に焼尽させる工程；
周期的に、前記少なくとも一つのフィルターユニットを、排気ガスユニットの流れから切り離し、そして前記少なくとも一つの微粒子捕集フィルターのアウトレットを閉じる工程；
引き続き、前記少なくとも一つの微粒子捕集フィルターの閉じたアウトレット中に、前記排気ガスの既流に対して逆向きで空気をパルス噴射し、そして、前記捕集された灰を、前記重金属と一緒に前記少なくとも一つの微粒子捕集フィルターから吹き払う工程、
を含む、上記の方法。
【請求項２】
前記少なくとも一つの微粒子捕集フィルターが、ウォールフローフィルターの形態にある、請求項１に記載の方法。
【請求項３】
前記少なくとも一つの微粒子捕集フィルターの壁上又はその内側に前記触媒が被覆されている、請求項２に記載方法。
【請求項４】
前記触媒が、二酸化チタン、バナジウムの酸化物及びタングステンの酸化物、及び金属パラジウムを含む、請求項１〜３のいずれか一つに記載の方法。
【請求項５】
前記少なくとも一つの微粒子捕集フィルターの本体が、炭化ケイ素、コージライト、ムライト、チタン酸アルミニウム又は焼結金属から製造される、請求項１〜４のいずれか一つに記載の方法。
【請求項６】
前記空気が、１０〜６００ミリ秒、好ましくは３００ミリ秒の噴射パルス継続時間でパルス噴射される、請求項１〜５のいずれか一つに記載の方法。
【請求項７】
パルス噴射のための空気が、４〜１０バールｇ、好ましくは６．５バールｇの圧力の圧縮空気を有するアキュムレータータンクから抜き出される、請求項１又は６に記載の方法。
【請求項８】
前記少なくとも一つのフィルターユニットが、エンジンのターボチャージャーの上流の圧力容器中に配置される、請求項１〜７のいずれか一つに記載の方法。
【請求項９】
前記排気ガスを、０〜３バールｇの圧力にある少なくとも一つのフィルターユニットに通過させる、請求項８に記載の方法。
【請求項１０】
前記ガスを、該少なくとも一つのフィルターユニットに通過させる前か又は該少なくとも一つのフィルターユニットに通過させた後に、前記排気ガス中の窒素酸化物を選択的触媒還元する工程をさらに含む、請求項１〜９のいずれか一つに記載の方法。
【請求項１１】
前記排気ガス中に含有される硫黄酸化物の量を、前記少なくとも一つのフィルターユニットの下流の、開放又は閉鎖ループ中で、該ガスをアルカリ溶液又は海水でスクラビングすることによって低減する工程をさらに含む、請求項１〜１０のいずれか一つに記載の方法。
【請求項１２】
重油で運転されるエンジンからの排気ガス中に存在する煤及び灰を除去するためのシステムであって、
エンジンを一つ又は二つ以上のろ過ユニットのそれぞれのインレットとそれぞれ接続している、一つ又は二つ以上の排気ガスインレット管；
前記一つ又は二つ以上のろ過ユニットのそれぞれのアウトレットに接続されている、一つ又は二つ以上の排気ガスアウトレット管；
付着した炭化水素と共に煤の焼尽を生じさせる触媒で触媒化された、前記一つ又は二つ以上のろ過ユニット内部で並列して接続されている少なくとも一つの微粒子捕集フィルターであって、該少なくとも一つの微粒子捕集フィルターのそれぞれのアウトレットがロック可能な、該フィルター；及び、
前記少なくとも一つの微粒子捕集フィルターから灰を吹き払うための前記少なくとも一つの微粒子捕集フィルターのアウトレットに取り付けられた空気パルスジェットバルブ装置であって、該空気パルスジェットバルブ装置は、遮断弁、空気供給部に接続された一つ又は二つ以上の空気ブロー管、該ブロー管中のノズル、及び該ブロー管中の該ノズルを通して、該少なくとも一つの微粒子捕集フィルター中に空気をパルス噴射するための排出装置を含む、該空気パルスジェットバルブ装置、
を含む、上記のシステム。
【請求項１３】
前記少なくとも一つの微粒子捕集フィルターが、ウォールフローフィルターの形態にある、請求項１２に記載のシステム。
【請求項１４】
前記少なくとも一つの微粒子捕集フィルターは、その壁の上又は壁の内側が触媒で触媒化されていて、それにより、該フィルターに捕集された煤が燃焼する、請求項１３に記載のシステム。
【請求項１５】
前記触媒が、二酸化チタン、バナジウムの酸化物及びタングステンの酸化物、及び金属パラジウムからなる、請求項１２〜１４のいずれか一つに記載のシステム。
【請求項１６】
前記少なくとも一つの微粒子捕集フィルターの本体が、炭化ケイ素、コージライト、又はムライト又はチタン酸アルミニウム又は焼結金属から製造されたものである、請求項１２〜１５のいずれか一つに記載のシステム。
【請求項１７】
前記一つ又は二つ以上の空気ブロー管が、圧縮空気を有するアキュムレータータンクに接続されている、請求項１２〜１６のいずれか一つに記載のシステム。
【請求項１８】
前記一つ又は二つ以上のろ過ユニットが、エンジンのターボチャージャーの上流の圧力容器中に配置されている、請求項１２〜１７のいずれか一つに記載のシステム。
【請求項１９】
前記一つ又は二つ以上のろ過ユニットが、エンジンのターボチャージャーの下流に配置される、請求項１２〜１８のいずれか一つに記載のシステム。
【請求項２０】
前記一つ又は二つ以上の排気ガスアウトレット管が、前記一つ又は二つ以上のろ過ユニットを、下流の、脱窒触媒を含む選択的触媒還元ユニットに接続している、請求項１２〜１９のいずれか一つに記載のシステム。
【請求項２１】
前記一つ又は二つ以上の排気ガスインレット管が、前記一つ又は二つ以上のろ過ユニットを、上流の脱窒触媒を含む選択的触媒還元ユニットに接続している、請求項１２〜１９のいずれか一つに記載のシステム。
【請求項２２】
前記一つ又は二つ以上の排気ガスアウトレット管が、前記一つ又は二つ以上のろ過ユニットをスクラバーユニットに接続している、請求項１２〜１９のいずれか一つに記載のシステム。
【請求項２３】
脱窒触媒ユニットを含む選択的触媒還元ユニットが、上流の前記一つ又は二つ以上のろ過ユニットに、そして下流のスクラビングユニットに接続されている、請求項１２〜１９のいずれか一つに記載のシステム。
【請求項２４】
前記選択的触媒還元ユニットが、エンジンのターボチャージャーの上流又は下流に配置されている、請求項２０〜２３のいずれか一つに記載のシステム。
【請求項２５】
前記一つ又は二つ以上のろ過ユニットの少なくとも一つにおいて前記排気ガスを迂回させるバイパス管をさらに含んでいる、請求項１２〜２４のいずれか一つに記載のシステム。
【発明の詳細な説明】
【技術分野】
【０００１】
本発明は、エンジンからの排気ガス中に存在する、煤の形態にある炭化水素及び微粒子物質、灰及び重金属を除去するための方法及びシステムに関する。より詳細には、本発明は、０．１％〜４．０重量％の硫黄含有量及び５ｍｇ／ｋｇ〜１０００ｍｇ／ｋｇの重金属元素含有量を有する重油で運転されるエンジンの排気ガスからのこれらの成分を除去するのに有用である。
【背景技術】
【０００２】
典型的に、排気システム中に配置された一つ又は二つ以上のフィルターに排気を通過させることによって煤及び灰は捕集されそして除去される。流れの一定時間後、捕集された量の煤及び灰は、フィルターにわたる圧力の降下を増大させ、そして、そのフィルターは、該煤を焼尽させること及び該灰を圧縮空気で吹き払うことによって又は手動での工程によって再生させることが必要となる。
【０００３】
公知の微粒子捕集フィルターシステムは、比較的硫黄含有量及び灰含有量の低いディーゼルエンジンの排気のために開発されている。これらのシステムは、例えば、重油、いわゆるバンカー油を燃料とする海事のエンジンのために採用することはできない。
【０００４】
バンカー油は、非常に重い炭化水素及びポリ芳香族化合物を含有する。該油は、燃焼せずに、灰として排気中に残る化合物で極度に汚染される。バンカー油中に含有される更なる汚染物質には、水溶性の金属塩である、ナトリウム（Ｎａ）、カリウム（Ｋ）、カルシウム（Ｃａ）、鉄（Ｆｅ）、硫酸塩（ＭｅＳＯ４）及びその他のいくつかだけでなく、油溶性の金属であるバナジウム（Ｖ）、鉛（Ｐｂ）、ニッケル（Ｎｉ）及びその他が含まれる。
【先行技術文献】
【特許文献】
【０００５】
【特許文献１】欧州特許第１４９３４８４  Ｂ１号明細書
【発明の概要】
【発明が解決しようとする課題】
【０００６】
そのため、本発明の一般的な目的は、重油を燃料とするエンジンから結果として生じる排気ガスを浄化するための方法及びシステムを提供することであり、該方法及びシステムにより、たとえ、該方法及びシステム中に採用された微粒子捕集フィルターが再生を必要とする場合であっても、エンジンの効率的な浄化及び連続運転が確実なものとなる。
【課題を解決するための手段】
【０００７】
本発明の本質的な特徴は、煤燃焼触媒及び炭化水素酸化触媒で該フィルターを触媒化することによって微粒子捕集フィルターが受動的に連続再生され、それによって、該微粒子捕集フィルターにわたる圧力降下を低く保つことによって、そして、フィルターのアウトレット中へ空気をパルス噴射することによって灰を効率的に吹き払うことによって、燃料の消費を改善することができるである。
【０００８】
上述したように、エンジンからの排気ガス中の煤は、燃焼することができないために、経時的にフィルター中に蓄積して圧力降下を増大させる無機の灰をさらに含む。その結果、フィルターを通る排気ガスの流れの方向を周期的に逆転させるか、又は空気をパルス噴射することにより灰を吹き払うことによって灰を除去しなければならない。
【０００９】
要約すると、本発明は、０．１％〜４．０重量％の硫黄含有量及び５ｍｇ／ｋｇ〜１０００ｍｇ／ｋｇの重金属元素含有量を有する重油で運転されるエンジンからの排気ガス中に存在する煤、炭化水素、灰及び重金属を除去する方法を提供し、該方法は、
少なくとも３２５℃の排気ガスの排気温度が得られるような負荷で、エンジンを運転する工程；
３２５℃〜５５０℃の排気ガス温度にある該排気ガスを、それぞれが少なくとも一つの微粒子捕集フィルターを含む少なくとも一つのフィルターユニットに通過させ、そして、該排気ガス中に含有される煤、灰及び重金属を捕集する工程；
前記少なくとも一つの微粒子捕集フィルターから、そのフィルター上に配置された触媒と接触させることによって、捕集された煤、及び付着した炭化水素を連続的に焼尽させる工程；
周期的に、前記少なくとも一つのフィルターユニットを、排気ガスユニットの流れから切り離し、そして前記少なくとも一つの微粒子捕集フィルターのアウトレットを閉じる工程；
引き続き、前記少なくとも一つの微粒子フィルターの閉じたアウトレット中に、前記排気ガスの既流に対して逆向きで空気をパルス噴射し、そして、前記捕集された灰及び残存する量の煤を、前記重金属と一緒に前記少なくとも一つの微粒子捕集フィルターから吹き払う工程、
を含む。
【００１０】
本発明で使用するための微粒子捕集フィルターは、好ましくは炭化ケイ素、コージライト、ムライト、チタン酸アルミニウム、又は焼結金属から製造される。
【００１１】
典型的には、該フィルターはウォールフローフィルターとして形成され、これは、最大限の浄化効率を確実にするが、その他の種類のフィルターも採用できる。
【００１２】
煤燃焼触媒は、そのフィルターの壁上又は内側に被覆される。
【００１３】
煤の燃焼において活性な触媒は従来技術において公知であり、とりわけ特許文献において説明されている。
【００１４】
好ましい触媒は、欧州特許第１４９３４８４  Ｂ１号明細書（特許文献１）中にさらに記載されているように、二酸化チタン、バナジウムの酸化物、タングステンの酸化物及び金属パラジウムを含む。
【００１５】
該触媒は、捕捉された煤の発火点を３５０℃に低下させ、そして、さらに、最適なプロセス条件である３２５℃にまで低下させる。
【００１６】
補助的なエンジンは部分的な負荷で運転することができ、それにより、その排気ガスの温度は３２５℃超である。フィルターのインレットにおける排気ガスの温度は３２５℃超であるため、連続的な煤の燃焼によって確実に受動的に再生される。
【００１７】
重油は、燃料含有の添加剤（ｆｕｅｌ  ｂｏｒｎ  ａｄｄｉｔｉｖｅｓ）として作用する多量のバナジウム及び鉄を含有していて、３２５℃超の該煤を追加的に焼尽させるのを促進するため、その燃料に添加剤を追加することを不要にする。
【００１８】
上述したように、本発明の本質的な特徴は、重油の燃焼の間に形成された、捕捉された灰を除去することである。微粒子捕集フィルターは、そのフィルターを排気ガスの流れから遮断することによって周期的に浄化しなければならない。
【００１９】
吹き払われた灰は、当技術分野で知られている、適切な補助的な灰搬出弁か、又は適切な灰輸送法によって該フィルターユニットから取り除くことができる。
【００２０】
フィルターユニットの全てを、本発明による上記の方法による周期的な浄化ループにおいて浄化することができる。少なくとも一つのフィルターユニットがろ過モードのままであるため、エンジンは連続運転を維持できる。
【００２１】
微粒子捕集フィルターを浄化する間、該排気ガスの既流とは逆向きに、１０〜６００ミリ秒、好ましくは３００ミリ秒の継続時間の噴射パルスで空気が噴射される。
【００２２】
その浄化サイクルにおいて、実際の微粒子捕集フィルターはそのアウトレットにおいて閉じられており、そして、弁によって、又はノズル、例えば、その閉じ弁に、又は近くに取り付けられたノズルによって空気はその閉じられたアウトレット中へ噴射される。したがって、フィルターのアウトレットが開放されている場合のやり方に比較して、より小さい体積の空気のパルスが噴射されるため、そのフィルター中に捕捉された灰を吹き払うのはより効率的である。後者の場合、微粒子捕集フィルターを囲むフィルターユニット全体を通って空気のパルスが進行するため、灰の浄化効率は制限される。
【００２３】
本発明のさらなる実施形態において、パルス噴射のための空気は、４〜１０バールｇ、好ましくは６．５バールｇの圧力の圧縮空気を有するアキュムレータータンクから抜き出される。
【００２４】
さらなる実施形態において、該ユニットは、エンジンのターボチャージャーの上流の圧力容器中に配置される。排気ガスは、その後、該フィルターユニットに０〜３バールｇの圧力で通過させることができる。
【００２５】
この実施形態における煤の燃焼温度は、追加的に排気ガスを加熱することなく、約４００℃というより最適なレベルに維持することができる。さらなる利点として、排気ガスの圧力及び温度が増大した場合に微粒子捕集フィルターにわたる圧力降下が、低減される。この結果、効率的なろ過に必要なフィルターの体積が小さくなり、そして、例えば、排気ガス処理のための空間が制限された船舶への組み込み搭載を容易になる。
【００２６】
ろ過のプロセスもまた一つの実施態様であり、排気ガスがフィルターユニットを通過する前か、又は該ガスがフィルターユニットを通過した後の、該排気ガス中の窒素酸化物（ＮＯＸ）の選択的触媒還元（ＳＣＲ）と追加的に組み合わされる。
【００２７】
エンジンが、少なくとも３２５℃の排気ガス温度を生じる最小限の負荷より大きい負荷で運転されると、ＳＣＲユニットの熱質量が、下流のフィルターユニットの受動的な再生に無視できる程度の影響をおよぼす。
【００２８】
上述したような本発明の重要な特徴とは、エンジン中の重油が燃焼した際に形成される硫黄酸化物を除去する可能性にある。上流の煤燃焼触媒は硫黄化合物に耐性であるため、ＳＯ２をＳＯ３に酸化する潜在能に限界がある。
【００２９】
そのため、本発明の方法のさらなる実施形態では、該方法は、少なくとも一つのフィルターユニットの下流で、開放ループ又は閉じたループで排気ガスをアルカリ溶液又は海水でスクラビングすることによって該排気ガス中に含有される硫黄酸化物の量を低減する追加の工程を含む。この方法の工程で採用されるそのスクラバーの、向流のアルカリ循環溶液は、硫黄酸化物を無害なアルカリ金属の硫酸塩又は亜硫酸塩に転化する。それにより、該硫黄酸化物はほぼ完全に除去され、そして、透明で低濁の使用済み溶液が海に排出されるか、又は陸上での輸送のために蓄積される。
【００３０】
さらなる利点として、スクラビング液と混合するのに海水を使用することができる。重金属及び煤はフィルターで除去されるため、その際の該スクラビング液中の捕集された硫黄酸化物含有分は、ｐＨ制御のために適切に希釈して海に排出することができる。
【００３１】
本発明はさらに、重油で運転されるエンジンからの排気ガス中に存在する煤及び灰を除去するためのシステムを提供し、該システムは、
エンジンを一つ又は二つ以上のろ過ユニットのそれぞれのインレットとそれぞれ接続している、一つ又は二つ以上の排気ガスインレット管；
前記一つ又は二つ以上のろ過ユニットのそれぞれのアウトレットに接続している、一つ又は二つ以上の排気ガスアウトレット管；
付着した炭化水素と共に煤の焼尽を生じさせる触媒で触媒化された、前記一つ又は二つ以上のろ過ユニット内部で並列して接続されている少なくとも一つの微粒子捕集フィルターであって、該少なくとも一つの微粒子捕集フィルターのそれぞれのアウトレットがロック可能な、該フィルター；及び、
前記少なくとも一つの微粒子捕集フィルターから灰を吹き払うための前記少なくとも一つの微粒子捕集フィルターのアウトレットに取り付けられている空気パルスジェットバルブ装置であって、該空気パルスジェットバルブ装置は、遮断弁、空気供給部に接続されている一つ又は二つ以上の空気ブロー管、該ブロー管中のノズル、及び該ブロー管中の該ノズルを通して、該少なくとも一つの微粒子捕集フィルター中に空気をパルス噴射するための排出装置を含む、該空気パルスジェットバルブ装置、
を含む。
【００３２】
図面を参照して以下に説明するように、上記のフィルターを通る逆流は、該ジェット弁をフィルターのアウトレットにおいて自動で管理することによって制御される。図１は、本発明の実施形態に従うシステムの作動を概略的に示している。
【００３３】
好ましい実施形態を以下に説明する。これらの実施形態は個別にも、あるいは組み合わせて使用することもできる。
【００３４】
少なくとも一つの微粒子捕集フィルターはウォールフローフィルターの形態にある。
【００３５】
少なくとも一つに微粒子捕集フィルターは、その壁上又はその内側が、捕集された煤を、該フィルターに付着した炭化水素とともに触媒作用により燃焼する触媒で被覆されている。
【００３６】
該触媒は、二酸化チタン、バナジウムの酸化物及びタングステンの酸化物及び金属のパラジウムからなる。
【００３７】
該少なくとも一つの微粒子捕集フィルターの本体は、炭化ケイ素、コージライト、ムライト、チタン酸アルミニウム又は焼結金属から製造されている。
【００３８】
一つ又は二つ以上のブロー管は、圧縮空気を有するアキュムレータータンクに接続されている。
【００３９】
一つ又は二つ以上のろ過ユニットは、エンジンのターボチャージャーの上流の圧力容器中に配置されている。
【００４０】
一つ又は二つ以上のろ過ユニットは、エンジンのターボチャージャーの下流に配置されている。
【００４１】
一つ又は二つ以上の排気ガスアウトレット管は、少なくとも一つのろ過ユニットを、下流の脱窒触媒を含む選択的触媒還元（ＳＣＲ）ユニットに接続している。
【００４２】
一つ又は二つ以上の排気ガスインレット管は、一つ又は二つ以上のろ過ユニットを、脱窒触媒を含む上流の選択的触媒還元（ＳＣＲ）ユニットに接続している。
【００４３】
一つ又は二つ以上の排気ガスアウトレット管は、一つ又は二つ以上のろ過ユニットをスクラバーユニットに接続している。
【００４４】
脱窒（ＳＣＲ）触媒ユニットを有する選択的触媒還元（ＳＣＲ）ユニットは、上流の一つ又は二つ以上のろ過ユニット、及び下流のスクラビングユニットに接続されている。
【００４５】
選択的触媒還元ユニットは、エンジンのターボチャージャーの上流に配置される。
【００４６】
システムは、前記一つ又は二つ以上のろ過ユニットの少なくとも一つにおいて前記排気ガスを迂回させるバイパス管をさらに含む。
【００４７】
本発明のシステムの異なる実施形態の様々な利点は、本発明の方法についての説明と組み合わせて上記ですでに説明した。
【００４８】
本発明の方法及びシステムのより詳細な説明は、図面を参照する特定の実施形態の下記の説明から明らかになるであろう。
【図面の簡単な説明】
【００４９】
【図１】図１は、本発明の方法及びシステムの概略的なフローシートを示す。
【図２】図２は、微粒子捕集フィルターのアウトレットに配置される浄化装置、及び弁とノズルの構成の拡大図である。
【００５０】
図１を参照すると、本発明の実施形態による方法で使用するためのシステムは、ろ過ユニット４を含み、該ユニット４はそのアウトレットにおいて、ターボチャージャー１０の排気タービン１２を介して、ＳＣＲユニット６に接続されている。そのＳＣＲユニット６は、ＳＯｘ−スクラバー８に接続されている。
【００５１】
ろ過ユニット４は、壁部１４によって、排気ガスインレットセクション４ａと、ろ過された排気ガスのアウトレットセクション４ｂとに分割されている。ユニット４は、三つの微粒子捕集フィルター１６ａ、ｂ、ｃを含む。
【００５２】
該微粒子捕集フィルターはモジュール式組み立て品（ｍｏｄｕｌａｒ）であり、それぞれ離間してユニット４内に配置されており、それにより、以下に説明するように、使用済みのフィルターを個別に再生又は置換することができる。
【００５３】
該微粒子捕集フィルターのアウトレット１８ａ、ｂ、ｃはロック可能であり、パルスジェット浄化弁２０ａ、ｂ、ｃに接続される。該浄化弁は、所定の流れの時間後か、あるいは、例えば、該フィルターにわたって生じた圧力降下を別途測定した後に、該フィルターのアウトレットを順次、又は一度に全部をロックすることができる。該ジェット浄化弁は、圧力空気を有するアキュムレータータンク（図示せず）に接続して、加圧され、そしてパルス化された空気流を上述したような間隔で、フィルター１６ａ、ｂ、ｃを通る排気ガスの既流に対して逆向きの流れで供給することができる。これらの手段により、灰及び残存する量の煤は、フィルター中に蓄積した重金属と一緒に、煤及び灰の排出路２２へ吹き払われる。フィルター４ａ、ｂ、ｃの再生の間、図１における実際のろ過ユニット４への排気ガス流は、弁３０の手段によって中断され、そしてそのガスは、別のフィルターユニット（図示せず）へ迂回される。
【００５４】
ろ過ユニット４は、排気ガス管２６によりエンジン２を介して、下流の、ターボチャージャー１０の空気圧縮装置２４に接続される。
【００５５】
上流のターボチャージャーの空気圧縮装置に接続する場合、ろ過ユニットが、加圧されたエンジン排気ガスによって得られる同じ煤負荷でもって、より良好に圧力降下の増加を利用でき、そして、補助的な加熱を排除できる、ターボチャージャーの上流に常に存在するより高い温度での煤の燃焼が増大するように、ろ過ユニット４を圧縮容器２８中に配置するのが好ましい。
【００５６】
ろ過された排気ガスは、ライン３２中をターボチャージャー１０の排気タービン１２を介してろ過ユニット４からＳＣＲ触媒ユニット６へ送られる。ユニット６中へ導入される前に、窒素酸化物の触媒ＳＣＲのための還元剤として該ガス中に尿素が噴射される。その反応中で使用される該ＳＣＲ反応及び触媒は、当技術分野において広く開示されていて公知であるため、さらに説明する必要はない。
【００５７】
最後に、該ＳＣＲ処理された管３４中の排気ガスは、ＳＯｘを除去するためのスクラバーユニット８へ送られる。ユニット８において、排気ガスは、希釈されたアルカリ溶液、例えば、水酸化ナトリウムの水溶液でスクラブされ、その際、該ＳＯｘは、該スクラバー溶液中に溶解した亜硫酸ナトリウム及び／又は硫酸ナトリウムに転化される。使用済みのスクラバー溶液のｐＨ値は、約７の値に簡単に調節することができ、そして、スクラビング前に重金属及び灰は既に排気ガスから除去されているため、無視できる危険性でもって使用済みのスクラバー溶液を環境中に分散させることができるため、予測されるＩＭＯ規制を満たすことができる。
【００５８】
そのようにして浄化された排気ガスは、スクラバーユニット８から抜き出され、そして管３６中で排気スタック（図示せず）へ送られる。
【００５９】
図２は、図１に示した微粒子捕集フィルター１８のアウトレットに接続される空気パルスジェットバルブ装置２０の拡大図である。
【００６０】
本発明の実施形態による空気パルスジェットバルブ装置２０は、空気ブロー管２１ａ及び２１ｂを含み、該管はそのアウトレットに空気ノズル（図示せず）を有する。空気ブロー管は、圧縮空気タンク（図示せず）からの加圧された空気供給部に管２３で接続されている。弁装置２０は、ろ過ユニット４のアウトレット１８に遮断弁２５をさらに含む。ろ過ユニット４には、それぞれがアウトレット管１９ａ及び１９ｂを有する二つのフィルター１６ａ及び１６ｂが設けられている。該アウトレット管は、排出装置の形態にある。
【００６１】
図２ａに示すろ過操作の間、アウトレット１８は開放されていて、アウトレット管１９ａ及び１９ｂからフィルター１６ａ及び１６ｂを出るろ過された排気ガスは、アウトレット１８を通って抜き出される。
【００６２】
図２ｂ及び図２ｃに示すように、ユニット４中のフィルターの再生を必要とする場合、アウトレット１８は遮断弁２５によってロックされ、そして管２３から加圧された空気が、順次、空気ブロー管２１ａ及び２１ｂに送られ、そして排出装置１９ａ及び１９ｂのそれぞれにパルス噴射される。フィルター１６ａ及び１６ｂ中に、排気ガスの既流と逆向きにパルス噴射された空気パルスによって、フィルター中に蓄積した灰及び残存量の煤は、フィルターの表面から離れ、そしてフィルターユニット４のアウトレットにおけるダスト搬送システム２２へ吹き払われる。
【００６３】
再生後、フィルターユニット４は、図２ａに示すようにろ過作動モードに切り替えられる。
【図１】
2018048642.tif 000003
【図２】
2018048642.tif 000004
【手続補正書】
【提出日】平成29年12月8日(2017.12.8)
【手続補正１】
【補正対象書類名】明細書
【補正対象項目名】００４７
【補正方法】変更
【補正の内容】
【００４７】
本発明のシステムの異なる実施形態の様々な利点は、本発明の方法についての説明と組み合わせて上記ですでに説明した。
本発明の特徴は次のとおりである。
１．  ０．１％〜４．０重量％の硫黄含有量、及び５ｍｇ／ｋｇ〜１０００ｍｇ／ｋｇの重金属元素含有量を有する重油で運転されるエンジンからの排気ガス中に存在する煤、炭化水素、灰及び重金属を除去する方法であって、
少なくとも３２５℃の排気ガスの排気温度が得られるような負荷で、エンジンを運転する工程；
３２５℃〜５５０℃の排気ガス温度にある該排気ガスを、それぞれが少なくとも一つの微粒子捕集フィルターを含む少なくとも一つのフィルターユニットに通過させ、そして、排気ガス中に含有される煤、灰及び重金属を捕集する工程；
該フィルター上に配置された触媒と接触させることによって、前記少なくとも一つの微粒子捕集フィルターから、捕集された煤、及び付着した炭化水素を連続的に焼尽させる工程；
周期的に、前記少なくとも一つのフィルターユニットを、排気ガスユニットの流れから切り離し、そして前記少なくとも一つの微粒子捕集フィルターのアウトレットを閉じる工程；
引き続き、前記少なくとも一つの微粒子捕集フィルターの閉じたアウトレット中に、前記排気ガスの既流に対して逆向きで空気をパルス噴射し、そして、前記捕集された灰を、前記重金属と一緒に前記少なくとも一つの微粒子捕集フィルターから吹き払う工程、
を含む、上記の方法。
２．  前記少なくとも一つの微粒子捕集フィルターが、ウォールフローフィルターの形態にある、上記の特徴１に記載の方法。
３．  前記少なくとも一つの微粒子捕集フィルターの壁上又はその内側に前記触媒が被覆されている、上記の特徴２に記載方法。
４．  前記触媒が、二酸化チタン、バナジウムの酸化物及びタングステンの酸化物、及び金属パラジウムを含む、上記の特徴１〜３のいずれか一つに記載の方法。
５．  前記少なくとも一つの微粒子捕集フィルターの本体が、炭化ケイ素、コージライト、ムライト、チタン酸アルミニウム又は焼結金属から製造される、上記の特徴１〜４のいずれか一つに記載の方法。
６．  前記空気が、１０〜６００ミリ秒、好ましくは３００ミリ秒の噴射パルス継続時間でパルス噴射される、上記の特徴１〜５のいずれか一つに記載の方法。
７．  パルス噴射のための空気が、４〜１０バールｇ、好ましくは６．５バールｇの圧力の圧縮空気を有するアキュムレータータンクから抜き出される、上記の特徴１又は６に記載の方法。
８．  前記少なくとも一つのフィルターユニットが、エンジンのターボチャージャーの上流の圧力容器中に配置される、上記の特徴１〜７のいずれか一つに記載の方法。
９．  前記排気ガスを、０〜３バールｇの圧力にある少なくとも一つのフィルターユニットに通過させる、上記の特徴８に記載の方法。
１０．  前記ガスを、該少なくとも一つのフィルターユニットに通過させる前か又は該少なくとも一つのフィルターユニットに通過させた後に、前記排気ガス中の窒素酸化物を選択的触媒還元する工程をさらに含む、上記の特徴１〜９のいずれか一つに記載の方法。
１１．  前記排気ガス中に含有される硫黄酸化物の量を、前記少なくとも一つのフィルターユニットの下流の、開放又は閉鎖ループ中で、該ガスをアルカリ溶液又は海水でスクラビングすることによって低減する工程をさらに含む、上記の特徴１〜１０のいずれか一つに記載の方法。
１２．  重油で運転されるエンジンからの排気ガス中に存在する煤及び灰を除去するためのシステムであって、
エンジンを一つ又は二つ以上のろ過ユニットのそれぞれのインレットとそれぞれ接続している、一つ又は二つ以上の排気ガスインレット管；
前記一つ又は二つ以上のろ過ユニットのそれぞれのアウトレットに接続されている、一つ又は二つ以上の排気ガスアウトレット管；
付着した炭化水素と共に煤の焼尽を生じさせる触媒で触媒化された、前記一つ又は二つ以上のろ過ユニット内部で並列して接続されている少なくとも一つの微粒子捕集フィルターであって、該少なくとも一つの微粒子捕集フィルターのそれぞれのアウトレットがロック可能な、該フィルター；及び、
前記少なくとも一つの微粒子捕集フィルターから灰を吹き払うための前記少なくとも一つの微粒子捕集フィルターのアウトレットに取り付けられた空気パルスジェットバルブ装置であって、該空気パルスジェットバルブ装置は、遮断弁、空気供給部に接続された一つ又は二つ以上の空気ブロー管、該ブロー管中のノズル、及び該ブロー管中の該ノズルを通して、該少なくとも一つの微粒子捕集フィルター中に空気をパルス噴射するための排出装置を含む、該空気パルスジェットバルブ装置、
を含む、上記のシステム。
１３．  前記少なくとも一つの微粒子捕集フィルターが、ウォールフローフィルターの形態にある、上記の特徴１２に記載のシステム。
１４．  前記少なくとも一つの微粒子捕集フィルターがその壁の上又は壁の内側を、該フィルターに捕集された煤を触媒的に燃焼させる触媒で被覆されていて、それにより、上記の１３に記載のシステム。
１５．  前記触媒が、二酸化チタン、バナジウムの酸化物及びタングステンの酸化物、及び金属パラジウムからなる、上記の特徴１２〜１４のいずれか一つに記載のシステム。
１６．  前記少なくとも一つの微粒子捕集フィルターの本体が、炭化ケイ素、コージライト、又はムライト又はチタン酸アルミニウム又は焼結金属から製造されたものである、上記の特徴１２〜１５のいずれか一つに記載のシステム。
１７．  前記一つ又は二つ以上の空気ブロー管が、圧縮空気を有するアキュムレータータンクに接続されている、上記の特徴１２〜１６のいずれか一つに記載のシステム。
１８．  前記一つ又は二つ以上のろ過ユニットが、エンジンのターボチャージャーの上流の圧力容器中に配置されている、上記の特徴１２〜１７のいずれか一つに記載のシステム。
１９．  前記一つ又は二つ以上のろ過ユニットが、エンジンのターボチャージャーの下流に配置される、上記の特徴１２〜１８のいずれか一つに記載のシステム。
２０．  前記一つ又は二つ以上の排気ガスアウトレット管が、前記一つ又は二つ以上のろ過ユニットを、下流の、脱窒触媒を含む選択的触媒還元ユニットに接続している、上記の特徴１２〜１９のいずれか一つに記載のシステム。
２１．  前記一つ又は二つ以上の排気ガスインレット管が、前記一つ又は二つ以上のろ過ユニットを、上流の脱窒触媒を含む選択的触媒還元ユニットに接続している、上記の特徴１２〜１９のいずれか一つに記載のシステム。
２２．  前記一つ又は二つ以上の排気ガスアウトレット管が、前記一つ又は二つ以上のろ過ユニットをスクラバーユニットに接続している、上記の特徴１２〜１９のいずれか一つに記載のシステム。
２３．  脱窒触媒ユニットを含む選択的触媒還元ユニットが、上流の前記一つ又は二つ以上のろ過ユニットに、そして下流のスクラビングユニットに接続されている、上記の特徴１２〜１９のいずれか一つに記載のシステム。
２４．  前記選択的触媒還元ユニットが、エンジンのターボチャージャーの上流又は下流に配置されている、上記の特徴２０〜２３のいずれか一つに記載のシステム。
２５．  前記一つ又は二つ以上のろ過ユニットの少なくとも一つにおいて前記排気ガスを迂回させるバイパス管をさらに含んでいる、上記の特徴１２〜２４のいずれか一つに記載のシステム。
【手続補正２】
【補正対象書類名】明細書
【補正対象項目名】００５５
【補正方法】変更
【補正の内容】
【００５５】
ターボチャージャー上流の空気圧縮装置に接続する場合、ろ過ユニットが、加圧されたエンジン排気ガスによって得られる同じ煤負荷でもって、より良好に圧力降下の増加を利用でき、そして、補助的な加熱を排除できる、ターボチャージャーの上流に常に存在するより高い温度での煤の燃焼が増大するように、ろ過ユニット４を圧縮容器２８中に配置するのが好ましい。
【手続補正３】
【補正対象書類名】特許請求の範囲
【補正対象項目名】全文
【補正方法】変更
【補正の内容】
【特許請求の範囲】
【請求項１】
重油で運転されるエンジンからの排気ガス中に存在する煤及び灰を除去するためのシステムであって、
エンジンを一つ又は二つ以上のろ過ユニットのそれぞれのインレットとそれぞれ接続している、一つ又は二つ以上の排気ガスインレット管；
前記一つ又は二つ以上のろ過ユニットのそれぞれのアウトレットに接続されている、一つ又は二つ以上の排気ガスアウトレット管；
付着した炭化水素と共に煤の焼尽を生じさせる触媒で触媒化された、前記一つ又は二つ以上のろ過ユニット内部で並列して接続されている一つ又は二つ以上の微粒子捕集フィルターであって、該一つ又は二つ以上の微粒子捕集フィルターのそれぞれのアウトレットがロック可能な、該フィルター；及び、
前記一つ又は二つ以上の微粒子捕集フィルターから灰を吹き払うための前記一つ又は二つ以上の微粒子捕集フィルターのアウトレットに取り付けられた空気パルスジェットバルブ装置であって、該空気パルスジェットバルブ装置は、遮断弁、空気供給部に接続された一つ又は二つ以上の空気ブロー管、該ブロー管中のノズル、及び該ブロー管中の該ノズルを通して、該一つ又は二つ以上の微粒子捕集フィルター中に空気をパルス噴射するための排出装置を含む、該空気パルスジェットバルブ装置、
を含み、
その際、前記一つ又は二つ以上のろ過ユニットが、エンジンのターボチャージャーの上流の圧力容器中に配置されており、かつ、前記システムが、前記一つ又は二つ以上のろ過ユニットの少なくとも一つにおいて前記排気ガスを迂回させるバイパス管をさらに含み、
その際、前記排気ガスを、０〜３バールｇの圧力にある少なくとも一つのろ過ユニットに通過させる、上記のシステム。
【請求項２】
前記少なくとも一つの微粒子捕集フィルターが、ウォールフローフィルターの形態にある、請求項１に記載のシステム。
【請求項３】
前記少なくとも一つの微粒子捕集フィルターがその壁の上又は壁の内側を、該フィルターに捕集された煤を触媒的に燃焼させる触媒で被覆されている、請求項２に記載のシステム。
【請求項４】
前記触媒が、二酸化チタン、バナジウムの酸化物及びタングステンの酸化物、及び金属パラジウムからなる、請求項１〜３のいずれか一つに記載のシステム。
【請求項５】
前記少なくとも一つの微粒子捕集フィルターの本体が、炭化ケイ素、コージライト、又はムライト又はチタン酸アルミニウム又は焼結金属から製造されたものである、請求項１〜４のいずれか一つに記載のシステム。
【請求項６】
前記一つ又は二つ以上の空気ブロー管が、圧縮空気を有するアキュムレータータンクに接続されている、請求項１〜１５のいずれか一つに記載のシステム。
【請求項７】
前記一つ又は二つ以上の排気ガスアウトレット管が、前記一つ又は二つ以上のろ過ユニットを、下流の、脱窒触媒を含む選択的触媒還元ユニットに接続している、請求項１〜６のいずれか一つに記載のシステム。
【請求項８】
前記一つ又は二つ以上の排気ガスインレット管が、前記一つ又は二つ以上のろ過ユニットを、脱窒触媒を含む選択的触媒還元ユニットの上流に接続している、請求項１〜７のいずれか一つに記載のシステム。
【請求項９】
前記一つ又は二つ以上の排気ガスアウトレット管が、前記一つ又は二つ以上のろ過ユニットをスクラバーユニットに接続している、請求項１〜８のいずれか一つに記載のシステム。
【請求項１０】
脱窒触媒ユニットを含む選択的触媒還元ユニットが、上流の前記一つ又は二つ以上のろ過ユニットに、そして下流のスクラビングユニットに接続されている、請求項１〜９のいずれか一つに記載のシステム。
【外国語明細書】
2018048642000001.pdf